(57)【特許請求の範囲】
【請求項１】
シャッタカーテンを構成するスラットの少なくとも１つに手掛けボックスを嵌装し、該手掛けボックスに前面パネルと後面パネルを設け、前記前面パネルと前記後面パネルのうち少なくとも前面パネルが下端部を中心に前記手掛けボックスに回転自在に支持され、前記前面パネルの上端部に後方に屈曲し前記手掛けボックスの上端部内面に当接可能な段差部が形成され、前記前面パネルの下端部に前記手掛けボックスの下端部を覆う水切りが形成されたことを特徴とする建物用シャッタ。
【請求項２】
前記手掛けボックスが幅方向に摺動可能に設けられ、錠前バーが前記スラットに摺動自在且シャッタカーテンのガイドレールに嵌脱可能に設けられると共に前記手掛けボックスに連結され前記錠前バーに該錠前バーと前記手掛けボックスとの相対変位を一方向に規制する係止部材を設けた請求項１の建物用シャッタ。
【請求項３】
前記手掛けボックスにガイド孔を穿設し、該ガイド孔に該ガイド孔に沿って摺動可能にレバー部を貫通させ、錠前バーが前記スラットに摺動自在且シャッタカーテンのガイドレールに嵌脱可能に設けられ、前記錠前バーが前記レバーに連結され前記錠前バーに該錠前バーと前記レバー部との相対変位を一方向に規制する係止部材を設けた請求項１の建物用シャッタ。
【請求項４】
前記手掛けボックスの側面に該手掛けボックス外側よりアームの一端部を摺動自在に貫通させ、錠前バーが前記スラットに摺動自在且シャッタカーテンのガイドレールに嵌脱可能に設けられ、前記アームの他端部と前記錠前バーとを連結し、該錠前バーに該錠前バーと前記アームとの相対変位を一方向に規制する係止部材を設けた請求項１の建物用シャッタ。
【発明の詳細な説明】
【０００１】
【発明の属する技術分野】
本発明は、建屋の出入口、窓等の開口部を開閉する建物用シャッタ、特に手動開閉式の建物用シャッタに関する。
【０００２】
【従来の技術】
建物用シャッタは電動開閉式と手動開閉式があるが、住宅用車庫や物置の出入口等の小開口部には一般に手動開閉式の建物用シャッタが用いられる。
【０００３】
図７〜図１２に於いて従来の建物用シャッタを説明する。
【０００４】
図示しないまぐさに沿ってシャッタカーテン収納部（図示せず）が取付けられ、該シャッタカーテン収納部は巻取りシャフトとバランススプリング（いずれも図示せず）を有している。
【０００５】
シャッタカーテン１は前記巻取りシャフトに巻取られると共に前記バランススプリングにより上方に付勢される様になっており、又、前記シャッタカーテン１の両側にはガイドレール２が立設され、前記シャッタカーテン１は前記ガイドレール２に沿って摺動可能となっている。更に、該ガイドレール２の内面の下部には係止孔（図示せず）がそれぞれ１箇所ずつ穿設されている。
【０００６】
前記シャッタカーテン１は横長板状のスラット３が鉛直方向に屈曲自在に多数連結されたものである。前記シャッタカーテン１の下部所要段の前記スラット３には左右対称に横長矩形の孔４が２箇所穿設され、該各孔４にそれぞれ手掛けボックス５が嵌設されている。
【０００７】
該手掛けボックス５は前面が開放された横長の箱型で、外周縁部６は外側に直角に屈曲し、前記手掛けボックス５とスラット３間の隙間を覆う様になっている。
【０００８】
所定位置の前記スラット３の後面には該スラット３に沿って水平にロック装置７が設けられ、該ロック装置７は中央部に設けられた操作部８と、該操作部８の両側に水平に延出する平板状の右錠前バー９、左錠前バー１０とで構成されている。前記ロック装置７は前記シャッタカーテン１が閉塞した際にのみ操作可能であり、該シャッタカーテン１の開放途中では操作できない様になっている。
【０００９】
前記操作部８は回転部１１を有し、該回転部１１の中央部には鍵穴１２が穿設されている。前記回転部１１にはピニオンギア（図示せず）が嵌着され、前記右錠前バー９、左錠前バー１０の前記ピニオンギア側にはそれぞれラック（図示せず）が形成されている。該各ラックはそれぞれ前記ピニオンギアに螺合し、前記回転部１１を図１２中の時計回り方向に回転させると、前記右錠前バー９、左錠前バー１０が離反方向に移動する様になっている。
【００１０】
又、前記右錠前バー９、左錠前バー１０は所要数の支持バンド１３により摺動可能に支持され、前記右錠前バー９、左錠前バー１０の先端部１４は２股状を成し、該先端部１４は前記シャッタカーテン１の閉塞位置で前記ガイドレール２の係止孔（図示せず）に嵌脱可能となっている。
【００１１】
前記シャッタカーテン１を閉塞する場合は、前面側から前記両手掛けボックス５の底面に指先を掛け、前記シャッタカーテン１を引下げる。該シャッタカーテン１を閉塞後、前記鍵穴１２に鍵を差込み、図１２中の時計回り方向に回転させ、前記右錠前バー９、左錠前バー１０を互いに離反する方向に移動させ、前記各先端部１４を前記ガイドレール２の係止孔（図示せず）に嵌入させる。
【００１２】
前記シャッタカーテン１を開放する場合は、前記鍵を前記鍵穴１２に差込み、図１２中の反時計回り方向に回転させ、前記右錠前バー９、左錠前バー１０を互いに近接する方向に移動させ、前記各先端部１４を前記ガイドレール２の係止孔（図示せず）から抜脱する。その後、前面側から前記各手掛けボックス５内部上面に指先を掛け、前記シャッタカーテン１を持上げる。該シャッタカーテン１は前記ガイドレール２に沿って上昇し、前記巻取りシャフト（図示せず）に巻取られる。
【００１３】
【発明が解決しようとする課題】
上記した従来の建物用シャッタでは、前記手掛けボックス５の前面が常時開放されており、前記シャッタカーテン１を閉塞している間、前記手掛けボックス５の底面側或は上面側に埃や雨水が付着し易いので、前記手掛けボックス５の底面或は上面に指先を掛け、前記シャッタカーテン１を閉塞或は開放させる際に指先が汚れたり濡れたりすることがあった。
【００１４】
又、前記手掛けボックス５の後面は開放されておらず、前記シャッタカーテン１の後面側から前記手掛けボックス５内に指先を差入れることができないので、後面側から前記シャッタカーテン１を開閉させる場合、前記スラット３の連結部に指先を引掛けて行なっていた。然し、連結部には指先を掛け易い水平面がないので、前記シャッタカーテン１の開閉作業が困難であると共に前記スラット３の連結部に埃が溜り易いので、シャッタカーテン１の開閉時に指先が汚れるという問題があった。
【００１５】
更に、前記スラット３が規則的に連続された前記シャッタカーテン１の前面に凹状の前記手掛けボックス５が設けられているので、シャッタの外観を損ねていた。
【００１６】
更に又、前記シャッタカーテン１を閉塞し施錠する際には、鍵を使う必要があるので、夜等で明かりがない時に鍵穴を見つけるのは容易でなく、又、施錠後に施錠されたかどうかを確認するには、鍵を外した後、再び前記手掛けボックス５に指先を掛ける必要があり手間が掛かっていた。
【００１７】
又、前記シャッタカーテン１は前記バランススプリングにより上方に付勢されており、前記シャッタカーテン１を上方に引上げる力と該シャッタカーテン１の重力により下降しようとする力とをバランスさせ、開放或は閉塞途中の任意の位置で前記シャッタカーテン１を停止させるのは困難であるので、該シャッタカーテン１を長時間一定位置で停止させ、建物内への日射量や通風量を調整することができなかった。
【００１８】
本発明は斯かる実情に鑑み、シャッタカーテンの開閉作業が指先を汚すことなく容易にできると共に容易に施錠し、且つ任意の位置でシャッタカーテンを停止させ、更にシャッタの外観を向上させるものである。
【００１９】
【課題を解決するための手段】
本発明は、シャッタカーテンを構成するスラットの少なくとも１つに手掛けボックスを嵌装し、該手掛けボックスに前面パネルと後面パネルを設け、前記前面パネルと前記後面パネルのうち少なくとも前面パネルが下端部を中心に前記手掛けボックスに回転自在に支持され、前記前面パネルの上端部に後方に屈曲し前記手掛けボックスの上端部内面に当接可能な段差部が形成され、前記前面パネルの下端部に前記手掛けボックスの下端部を覆う水切りが形成された建物用シャッタに係り、又、前記手掛けボックスが幅方向に摺動可能に設けられ、錠前バーが前記スラットに摺動自在且シャッタカーテンのガイドレールに嵌脱可能に設けられると共に前記手掛けボックスに連結され前記錠前バーに該錠前バーと前記手掛けボックスとの相対変位を一方向に規制する係止部材を設けた建物用シャッタに係り、又、前記手掛けボックスにガイド孔を穿設し、該ガイド孔に該ガイド孔に沿って摺動可能にレバー部を貫通させ、錠前バーが前記スラットに摺動自在且シャッタカーテンのガイドレールに嵌脱可能に設けられ、前記錠前バーが前記レバーに連結され前記錠前バーに該錠前バーと前記レバー部との相対変位を一方向に規制する係止部材を設けた建物用シャッタに係り、更に又、前記手掛けボックスの側面に該手掛けボックス外側よりアームの一端部を摺動自在に貫通させ、錠前バーが前記スラットに摺動自在且シャッタカーテンのガイドレールに嵌脱可能に設けられ、前記アームの他端部と前記錠前バーとを連結し、該錠前バーに該錠前バーと前記アームとの相対変位を一方向に規制する係止部材を設けた建物用シャッタに係り、前記前面パネル或は後面パネルを開閉し、前記手掛けボックスに指先を掛け、前記シャッタカーテンの開閉作業及び施錠作業を行う。
【００２０】
【発明の実施の形態】
以下、図１〜図３を参照しつつ本発明の第１の実施の形態を説明する。尚、図１〜図３中、図７〜図１２中と同等のものには同符号を付し、説明は省略する。
【００２１】
スラット３に左右一対の横長の矩形孔１９が穿設され、該各矩形孔１９にそれぞれ横長箱型の手掛けボックス２０が設けられ、該手掛けボックス２０の水平方向の長さは前記矩形孔１９の長さより短くなっている。
【００２２】
前記左右一対の手掛けボックス２０は左右対称な構成を有するので、以下、シャッタカーテン１の後面側から見て左側の手掛けボックス２０について説明する。
【００２３】
該手掛けボックス２０の前面側外周縁部は外側に直角に屈曲し鍔部２１を形成し、該鍔部２１は前記スラット３と前記手掛けボックス２０の間の隙間を覆う様になっている。図２、図３中の前記鍔部２１の右側部分に覆われた前記スラット３の表面色は該スラット３の他の部分の表面色と異なる色に塗装されている。
【００２４】
又、前記鍔部２１の下辺を除く３辺は内側方向に僅かに延出し前面当接部２２を形成すると共に前記鍔部２１の後面側外周縁部の下辺を除く３辺は内側に直角に屈曲し、前記前面当接部２２と同様に後面当接部２３を形成している。
【００２５】
前記手掛けボックス２０の上面の前側には前記鍔部２１と平行にＬ字型断面の上補助部材２４が固着されていると共に前記手掛けボックス２０底面の前側に前記鍔部２１と平行に逆Ｌ字型断面の下補助部材２５が固着されている。而して、前記鍔部２１と上補助部材２４及び前記鍔部２１と下補助部材２５とで前記スラット３を挾持し、前記手掛けボックス２０は前記矩形孔１９内を水平に摺動可能となっている。
【００２６】
前記手掛けボックス２０の前面パネル２６は蝶番或はピボット等の支持手段２７により前記前面パネル２６の下端部を中心に前記手掛けボックス２０に回転自在に支持されていると共に図示しないコイルバネにより前方に付勢されている。前記前面パネル２６の上端部及び両側端部は前記前面当接部２２の内面に当接可能に後方に屈曲し、段差部２８が形成され、前記前面パネル２６の下端部は前方に屈曲し、前記鍔部２１の下端部を覆う水切り２９が形成されている。
【００２７】
而して、前記前面パネル２６は前記支持手段２７を支点に後方に回転し、前記手掛けボックス２０の前面を開放し、又、前記コイルバネの反発力により前記段差部２８が前記前面当接部２２に当接すると共に前記水切り２９が前記鍔部２１の下端部を覆い、前記手掛けボックス２０の前面を常閉可能となっている。
【００２８】
前記手掛けボックス２０の後面パネル３０は前記支持手段２７により前記手掛けボックス２０に回転自在に支持されていると共に図示しないコイルバネにより後方に付勢されている。前記後面パネル３０には、前記前面パネル２６と同様に段差部３１、水切り３２が形成されている。
【００２９】
而して、前記後面パネル３０は前記支持手段２７を支点に前方に回転し、前記手掛けボックス２０の後面を開放し、又、前記コイルバネの反発力により前記段差部３１が前記後面当接部２３に当接すると共に前記水切り３２が前記鍔部２１の下端部を覆い、前記手掛けボックス２０の後面を常閉可能となっている。
【００３０】
該手掛けボックス２０の下面にはアーム３３が固着され、該アーム３３を左錠前バー１０が前記スラット３に沿って水平に摺動自在に貫通している。又、後面側から見て、前記左錠前バー１０の前記アーム３３の左側には係止部材３４が止めネジ３５で固着され、前記係止部材３４により前記左錠前バー１０と前記手掛けボックス２０との相対変位が一方向に規制される様になっている。
【００３１】
前記左錠前バー１０は所要数の支持バンド３６により摺動可能に前記スラット３に支持され、前記手掛けボックス２０が図２、図３中の左方に摺動すると前記アーム部３３が前記係止部材３４に当接する様になっている。
【００３２】
以下、作用を説明する。
【００３３】
前面側からシャッタカーテン１を閉塞させるには、前記手掛けボックス２０に指先を差入れる。前記前面パネル２６が前記コイルバネ（図示せず）に抗して後方に倒伏回転し水平姿勢となる。前記前面パネル２６に指先を掛け引下げる。
【００３４】
前記前面パネル２６が水平姿勢になると水切り２９が前方に突出し、その分手掛け面積が増大するので、指先の負担が減少し容易に前記シャッタカーテン１を閉塞することができる。
【００３５】
前記手掛けボックス２０内から指先を引抜くと前記前面パネル２６は前記コイルバネの反発力により前方へ起立回転し、前記段差部２８が前記前面当接部２２に当接し、再び前記前面パネル２６は鉛直姿勢となる。
【００３６】
前記シャッタカーテン１の閉塞状態では前記前面パネル２６は鉛直姿勢であり、表面に埃が付着し難く、又、雨水が掛っても直ちに流下し、表面が乾き易いので、閉塞作業時に指先が汚れたり濡れたりすることが防止できる。
【００３７】
前記シャッタカーテン１を閉塞後、前記手掛けボックス２０自体を図２、図３中左方へ摺動させると、前記アーム部３３が前記係止部材３４に当接し、前記左錠前バー１０は前記係止バンド３４を介して図２、図３中の左側方向に移動する。前記左錠前バー１０の先端部（図示せず）はガイドレールの係止孔（図示せず）に嵌入し、前記シャッタカーテン１は施錠された状態となる。施錠する際、鍵が不要であるので施錠作業が簡素化される。
【００３８】
図２、図３中の前記鍔部２１の右方に表面色の異なる前記スラット３が現れる。施錠状態の確認は表面色の異なる前記スラット３が現れたこと或は前記手掛けボックス２０に指先を掛け前記シャッタカーテン１を引上げられるかどうかにより行う。
【００３９】
又、施錠状態の確認後、表面色の異なる前記スラット３が前記鍔部２１で完全に覆われる迄、前記手掛けボックス２０を図２、図３中の右方へ移動させると、前記スラット３の表面色が同一色となるので外観を損ねることもない。又、前記手掛けボックス２０を図２、図３中の右方へ移動させても、前記アーム３３は前記係止部材３４と当接せず、前記左錠前バー１０が移動することはないので、施錠状態は維持される。
【００４０】
後面側から前記シャッタカーテン１を閉塞する場合も前面側から閉塞する場合と同様の手順でできるので説明は省略する。
【００４１】
又、前面側から前記シャッタカーテン１を開放するには、鍵穴（図示せず）に鍵を差込み回転させ、ロック装置の作動により前記左錠前バー１０の先端部をガイドレールの係止孔（図示せず）から抜脱する。その後前面側から指先を差入れ、前記前面パネル２６を前記コイルバネ（図示せず）に抗して後方に倒伏回転させ、指先を前記手掛けボックス２０内部の上面パネルに掛け持上げる。前記シャッタカーテン１は巻上げられ開放される。
【００４２】
前記手掛けボックス２０から指先を抜くと、前記前面パネル２６は前記コイルバネ（図示せず）の反発力により前方に起立回転し、前記手掛けボックス２０の前面を閉塞する。
【００４３】
前記シャッタカーテン１の開閉及び施錠作業時以外は前記手掛けボックス２０の開口部は閉塞状態を保っているので該手掛けボックス２０内部への埃や雨水の浸入を防止できると共に前記前面パネル２６は水切り２９を有しているので、雨水が上部の前記スラット３から流れ落ちて来ても前記前面パネル２６の下端部の隙間から前記手掛けボックス２０内部へ雨水が浸入することはない。又、前記前面パネル２６の前記段差部２８は前記前面当接部２２の後面側に当接しているので、雨水又は埃が前記前面当接部２２と前記段差部２８との当接箇所から前記手掛けボックス２０内へ浸入することはない。
【００４４】
尚、上記実施の形態に於いては、前記前面パネル２６と前記後面パネル３０の両方が開閉可能に設けられているが前記前面パネル２６だけが開閉可能であってもよい。
【００４５】
又、施錠作業後、前記手掛けボックス２０が自動的に元の位置に戻る様に前記スラット３と前記手掛けボックス２０との間に復帰スプリングを張設してもよい。
【００４６】
次に、図４、図５に於いて本発明の第２の実施の形態を説明する。尚、図４、図５中、図１〜図３中と同等のものには同符号を付し、説明は省略する。
【００４７】
スラット３に左右一対の横長の矩形孔４０が穿設され、該各矩形孔４０にそれぞれ横長箱型の手掛けボックス４１が嵌設されている。
【００４８】
前記左右一対の手掛けボックス４１は左右対称な構成を有するので、以下、シャッタカーテン１の後面側から見て左側の手掛けボックス４１について説明する。
【００４９】
該手掛けボックス４１は図４、図５中の左側端部４２を残して前面及び後面にそれぞれ開口部４３，４４を有し、該開口部４３，４４は前面パネル２６、後面パネル３０により開閉される様になっている。
【００５０】
前記手掛けボックス４１の図４、図５中の左側面４５には側孔４６が穿設され、該側孔４６を図４、図５中の左方から逆Ｌ字型のアーム４７の水平部分の先端部４８が貫通している。該先端部４８は前記アーム４７の水平部分の他の部分より径が細く、該アーム４７の水平部分には段差部４９が形成され、前記アーム４７の水平部分の他の部分の径は前記側孔４６の径より太くなっている。前記先端部４８には小突起５０が形成され、該小突起５０に押釦キャップ５１が嵌着されている。該押釦キャップ５１の径は前記先端部４８の径より太く、前記押釦キャップ５１と前記側面４５との間にはスプリング５２が圧縮状態で介装されている。
【００５１】
以下、作用を説明する。尚、シャッタカーテンを開閉する手順及び解錠手順は第１の実施の形態と同様であるので説明は省略し、施錠手順のみを説明する。
【００５２】
シャッタカーテン１を閉塞した後、前記手掛けボックス４１の内部側から指先で前記押釦キャップ５１を押圧すると、前記アーム４７は図４、図５中の左方へ移動する。該アーム４７が前記係止部材３４に当接し、左錠前バー１０は前記アーム４７と共に移動する。前記左錠前バー１０の先端部がガイドレールの係止孔（図示せず）に嵌入し、前記シャッタカーテン１は施錠された状態となる。
【００５３】
前記押釦キャップ５１から指先を離すと、前記左錠前バー１０の先端部が前記ガイドレールの係止孔に嵌入した状態を維持しつつ、前記押釦キャップ５１及びアーム４７は前記スプリング５２の反発力で図４、図５中の右方へ移動し、前記段差部４９が前記側面４５に当接し、前記押釦キャップ５１及びアーム４７の右方への動きは停止する。
【００５４】
尚、上記第２の実施の形態に於いては、前記押釦キャップ５１と前記側面４５との間にスプリング５２を圧縮状態で介装しているが、該スプリング５２は設けなくてもよい。
【００５５】
次に、図６に於いて本発明の第３の実施の形態を説明する。尚、図６中、図１〜図３中と同等のものには同符号を付し、説明は省略する。
【００５６】
スラット３に左右一対の横長の矩形孔５３が穿設され、該各矩形孔５３にそれぞれ横長箱型の手掛けボックス２０が嵌設されている。
【００５７】
前記手掛けボックス２０の上面にはスラット３に平行にスリット状のガイド孔５４が穿設され、該ガイド孔５４にアーム５５のレバー部５６が貫通し、該レバー部５６は前記ガイド孔５４に沿って摺動可能となっている。又、前記アーム５５には錠前バーの内、例えば左錠前バー１０が摺動自在に貫通している。
【００５８】
以下、作用を説明する。尚、シャッタカーテン１を開閉する手順及び解錠手順は第１の実施の形態と同様であるので説明は省略し、施錠手順のみを説明する。
【００５９】
前記手掛けボックス２０内に指先を差入れ前記レバー部５６を図６中の手前方向へ摺動させると、前記アーム５５が係止部材（図示せず）に当接し、前記左錠前バー１０は前記係止部材を介して図６中の手前方向に移動する。前記左錠前バー１０の先端部（図示せず）はガイドレールの係止孔（図示せず）に嵌入し、前記シャッタカーテン１は施錠された状態となる。
【００６０】
施錠後、前記レバー部５６を図６中の奥行方向へ移動させてもよいが、前記アーム５５は前記係止部材と当接せず、前記左錠前バー１０が移動することはないので、施錠状態は維持される。
【００６１】
尚、上記第１、第２、第３の実施の形態に於いて、前記ガイドレールの係止孔（図示せず）を所要間隔で複数個設けてもよい。この場合、前記錠前バーの先端部（図示せず）を任意の位置の前記係止孔に嵌入させることにより、前記シャッタカーテン１を開放或は閉塞途中の任意の位置で固定させることができるので、建物内への日射量や通風量を所要値に調整することができる。
【００６２】
又、前記手掛けボックス２０，４１は複数段の前記スラット３に設けてもよい。この場合、前記シャッタカーテン１を開放或は閉塞途中の任意の位置に固定して使用する際に、屈まずに前記手掛けボックス２０，４１に指先を掛けることができるので操作性の向上が図れる。
【００６３】
更に、前記シャッタカーテン１を構成するスッラト３は板状に限るものではなく、中空或は中実のパネル状等他の形状であってもよい。
【００６４】
更に又、上下動式シャッタに限らず、横引きや水平引きのシャッタにも実施可能である。
【００６５】
【発明の効果】
以上述べた如く本発明によれば、シャッタカーテンの開閉及び施錠作業以外は手掛けボックスの前面パネル及び後面パネルは閉塞状態であるので、前記手掛けボックス内部に埃や雨水が浸入するのを防止することができる。従って、前記シャッタカーテン開閉作業時等前記手掛けボックス内に指先を掛けても指先が汚れたり濡れたりすることがない。
【００６６】
又、前記手掛けボックスの後面パネルも開閉可能の場合には、前記シャッタカーテンの前面及び後面の両面側から前記手掛けボックス内に指先を掛けることができるので前記シャッタカーテンの開閉作業が容易になる。
【００６７】
更に、前記手掛けボックスで鍵を使用せず施錠作業も行えるので、前記シャッタカーテンの閉塞作業と施錠作業が一連の動作ででき、作業効率の向上が図れる。
【００６８】
更に又、前記手掛けボックスの前面パネルは通常鉛直姿勢であり、前記スラットと同一平面を形成するので前記シャッタカーテンの外観の向上が図れる等種々の優れた効果を発揮する。
【図面の簡単な説明】
【図１】本発明の第１の実施の形態を示す断面図である。
【図２】該実施の形態を示す背面図である。
【図３】図２のＡ−Ａ矢視図である。
【図４】本発明の第２の実施の形態を示す断面図である。
【図５】図４のＢ−Ｂ矢視図である。
【図６】本発明の第３の実施の形態を示す断面図である。
【図７】従来例を示す正面図である。
【図８】従来の手掛けを示す正面図である。
【図９】図８のＣ−Ｃ矢視図である。
【図１０】図８のＤ−Ｄ矢視図である。
【図１１】従来のロック装置を示す側面図である。
【図１２】従来のロック装置を示す正面図である。
【符号の説明】
１          シャッタカーテン
２          ガイドレール
３          スラット
９          右錠前バー
１０        左錠前バー
２０        手掛けボックス
２６        前面パネル
２９        水切り
３０        後面パネル
３１        段差部
３３        アーム
３４        係止部材
４０        矩形孔
４１        手掛けボックス
４７        アーム
５４        ガイド孔
５５        アーム
５６        レバー部
【図１】
0003891320.tif 000002
【図２】
0003891320.tif 000003
【図３】
0003891320.tif 000004
【図４】
0003891320.tif 000005
【図５】
0003891320.tif 000006
【図６】
0003891320.tif 000007
【図７】
0003891320.tif 000008
【図８】
0003891320.tif 000009
【図９】
0003891320.tif 000010
【図１０】
0003891320.tif 000011
【図１１】
0003891320.tif 000012
【図１２】
0003891320.tif 000013